(57)【特許請求の範囲】
【請求項１】
平坦部を有するベース部と、該ベース部から立設される2枚の板材を重ね合わせた立設部と、この2枚の板材の間にガイド部が構成され、このガイド部に切断刃が配置されており,更に、前記立設部には上端から下方向に向け所定距離の長さでスリットが形成されおり、このスリット部に前記切断刃の刃面が傾斜した状態で配置した安全カッターであって、前記立設部のガイド部の片面に、前記切断刃に形成された折れ溝の間隔に合わせ、複数の取り付け穴が設けられ、前記ガイド部のもう一方の面に長孔状のガイド孔が設けられ、前記取り付け穴と前記ガイド孔に前記切断刃に形成されている保持穴をねじとナットで取り付け、前記立設部の前記ガイド部の先端には、末広がり状のテーパー部が形成され、該テーパー部の根元に前記切断刃の折れ溝がくるようにし、更に、前記ベース部と前記立設部が一体で構成されたことを特徴とする安全カッター。
【請求項２】
前記ナットは、前記切断刃の前記折れ溝に沿って折るための破断溝が形成されていることを特徴とする請求項１記載の安全カッター。

【請求項３】
前記ベース部の裏面側に、載置面に固定するための磁石と滑り止め材が取り付けられていることを特徴とする請求項１記載の安全カッター。
【発明の詳細な説明】
【技術分野】
【０００１】
本発明は、テーブルや机などの上に置いて薬、栄養剤、栄養補助剤、菓子などの中身が入った小袋を素早く安全に切断する安全カッター及び、冷蔵庫などに取り付けて食品が入ったビニール袋、カウチパックや牛乳などが入っていた紙パックを素早く安全に切断する安全カッターに関するものである。
【背景技術】
【０００２】
近年、健康に対する関心が高まっており、薬や栄養剤、栄養補助剤を毎日摂取する人が増えている中で、これらの袋は細長くギザギザがある縦方向には手でカット出来るが、中身がこぼれるので横方向にカットするためハサミを使ったり、横方向にスリットが入っていても、指の力が弱かったり、目が悪くスリットが見えなかったり、暗くてスリットが見えなかったりした時なども、ハサミを使っていた。又近年、野菜や調理済み品をビニール袋やカウチパックに入れた食品が、調理技術や冷凍技術の向上で温めるだけでおいしく食べられるし素早く調理できるので、家庭だけでなく飲食店、介護施設、病院などでも多く利用されており、これらビニール袋やカウチパックの中にはスリットが入っていて手で破れるようになっているが、スリットがないビニール袋や手が濡れて滑って破れない場合は、はさみでカットすることがしばしばであった。
【０００３】
しかしながら、このところ  病院、介護施設、事務所などでは新型コロナウイルスの感染の影響で、ハサミなどの道具の使いまわしも感染の可能性があり、いちいちアルコール除菌することも求められている。この対策として、切断のための道具を持たず、テーブルや机などの上に置いて、又は冷蔵庫などに取り付けて、ベース部と立設部の間にローラーとサポートフレームと切断刃を取り付け、ローラーとカッター刃の間で袋をカットする安全カッターが提案されている。これにより直接袋を持ってカット出来、ハサミなどの道具の使い回しがないので、コロナウイルス感染のリスクも減り、手やビニール袋が濡れていたり、室内が薄暗くスリットが見えにくかったりした時でも、色々な物が入った袋を素早く容易にカットでき、カッター刃さえ交換すれば半永久的に使用でき便利ではあるが、刃の交換にペンチなどの工具が必要で、切断刃の刃先のカバーもその都度、外したりつけたりする必要あり手間がかかり、又大きくて使用しない時は邪魔で、構成部品も多く構造も複雑でコスト高になり、販売を拡大するまでには至らなかった。
【０００４】
この改良品として切断刃だけを取り付けた、最もシンプルで小型の安全カッターも提案されているが、切断刃などの交換ができない使いきりの物だったので、商品としては物足りない物であった。
【先行技術文献】
【特許文献】
【０００５】
【特許文献１】特開平０５−０００７６１
【特許文献２】特願２０１８−１７４３９９
【特許文献３】特願２０２０−０８２３９３
【特許文献４】特願２０２０−０９８２７６
【発明の概要】
【発明が解決しようとする課題】
【０００６】
解決しようとする課題は、テーブルや机などの上に置いて、薬や栄養剤や栄養補助剤が入った袋を素早くカット出来る又は、冷蔵庫などに取り付けて食品が入ったビニール袋やカウチパックなどを素早くカット出来るだけでなく、切れなくなった刃をペンチなどの工具を使わず、折って又は、取り外して交換できるようにした安全カッターを、いかにしてコンパクトでシンプル且つ扱い易いものにするかである。
【課題を解決するための手段】
【０００７】
本発明は、テーブルや机などの上に置ける平面又は、冷蔵庫の側面などに取り付ける平面のベース部に、この平面に対して垂直で重なった面を持つ立設部の内側に、切断刃を長手方向にスムーズにスライドさせベースから取り出せるようにした筒状で上下方向からやや傾斜したガイド部を設け、このガイド部の片方の面に、切断刃の折れ溝のピッチに合わせた複数の取り付け穴を設け、もう一方の面にガイド孔を設け、刃先を上向きにした切断刃をねじと破断溝を持ったナットで取り付けている。立設部には、ガイド部を上から下に横断し指が入らない程の隙間のスリット部を設け、このスリット部に薬や栄養剤などが入った袋や食品が入ったビニール袋やカウチパックなどを通し切断するようにしている。又、ガイド部の先端には、根本が切断刃の板がぎりぎり通る程の幅と、先端に指が切断刃に触れない程の出代を持った末広がり状のテーパー部を設け、切断刃を１ピッチ進めれば、テーパー部の根本に切断刃折れ溝が来て、切断刃が簡単に折れるようにし、テーパー部の先で、指が切断刃に触れないようにしてそのままでも安全に使用できるようにしており、これらが最も主要な特徴となる。
【発明の効果】
【０００８】
テーブルや机の上に置いて薬や栄養剤の袋を素早く安全にカットする、及び冷蔵庫などに取り付けてビニール袋やカウチパックなどを素早く安全にカットし、切れなくなった切断刃は、ねじを緩め、ナットを外し、1ピッチ進めれば、テーパー部の根本から切断刃が1ピッチ分だけ出て、外したナットの破断溝で容易に折ることが出来、テーパーの先で指が触れないので、そのままの位置で安全に使用でき、破断溝を持つナットも切断刃と共に立設部のガイド部にねじで固定されるし、ねじの先もナットで隠れるので安全で、コンパクトでシンプル且つ扱いやすい安全カッターをわずかな部品点数にすることが出来た。
【図面の簡単な説明】
【０００９】
【図１】本発明の実施例１の使用状態を示す斜視図である。
【図２】本発明の実施例１を示す正面図である。
【図３】本発明の実施例１を示す右側面図である。
【図４】本発明の実施例１を示す平面図である。
【図５】本発明の実施例１を示す背面図である。
【図６】本発明の実施例１のガイド部を拡大したA−Ａ断面図である。
【図７】本発明の実施例１のガイド部を拡大したB−B断面図である。
【図８】本図は本発明に使用する一般的な小型の切断刃の正面図である。
【図９】本発明の実施例１のガイド部のＡ―Ａ断面図のテーパー部で、切断刃を破断する様子を示す拡大図である。
【図１０】本発明の実施例１のベース部と立設部を含むフレームの展開図である。
【図１１】本発明の実施例２の斜視図である。
【図１２】本発明の実施例２の正面図である。
【図１３】本発明の実施例２の右側面図である。
【図１４】本発明の実施例２の背面図である。
【図１５】本発明の実施例２の&#8557;−&#8557;断面図である。
【図１６】本発明の実施例２の使用状態を示す斜視図である。
【図１７】本発明の実施例２のベース部と立設部を含むフレームの展開図である。
【発明を実施するための形態】
【００１０】
テーブルや机などの上に置いて、薬や栄養剤、栄養補助剤などが入った袋を素早く安全にカットし、又は冷蔵庫などに取り付けて中身が入ったビニール袋やカウチパック、牛乳などが入っていた紙パックなど素早く安全にカットし、切れなくなった切断刃を折って又は外して交換できるようになり、安全でコンパクトで扱いやすい安全カッターを最小の部品点数にすることが出来たので、いろいろな分野の多くの人が使用しやすくなった。
【実施例１】
【００１１】
ベース部と立設部にローラーとサポートフレームと切断刃を取り付け、ローラーと切断刃の間でビニール袋をカットする従来の安全カッターに対し、本発明は図１、図２、図７に示すよう、テーブルや机など上に置けるような平面を持つベース部1と、この面に垂直で重なった立設部２の二重の面の間に、切断刃１０を長手方向にスライドさせ、立設部２から取り出せるようにした筒状で上下方向から片側にやや傾斜したガイド部５を設けている。立設部２には、上下方向でガイド部５を横断し、指が入らない程度の隙間のスリット部７を設けており、このスリット部７に色々なビニール袋などを通して切断するようにしている。
【００１２】
ガイド部５の片方の面には図８に示すように、切断刃１０の切断刃折れ溝１２のピッチに合わせ、図５に示すように複数の取り付け穴３を設け、反対側の面にはガイド孔４を設けており、刃先を上向きにした切断刃１０の保持穴１１をガイド部５の取り付け穴３に、破断溝１４を持つナット１３と共にねじ１５で取り付けている。
【００１３】
立設部２のガイド部５の先端には、図６のように根本に切断刃１０がぎりぎり通る程度の隙間で、先に指が切断刃１０に触れない程度の出代で末広がり状のテーパー部６を設け、切断刃１０の破断時に、この根本に切断刃折れ溝１２が来るようにし、切断刃１０が折れやすくなるようにしている。
【００１４】
ナット１３は、図３のような略Ｃ字状の断面の鋼板からなり、図５に示すような切断刃が入る程の隙の破断溝１４が設けられている。
【００１５】
又ベース部１の底の面側には、本体をテーブルや机に置いたときの衝撃や衝撃音を防ぐためクッション用として滑り止めマット１７を設けている。
【００１６】
図１に示すように、薬や栄養剤が入った袋２１をカットする場合は、立設部２のスリット部７に、栄養剤が入った袋２１の端と少し内側を両手の指で摘まんで通せば、容易にカットでき、切断刃１０が切れなくなった時は、ねじ１５を外し、ガイド孔４から切断刃１０の保持穴１１をねじ１５の先端で誘導させて取り付け穴３を1ピッチずらしてねじ１５を差し込めば、テーパー部６から切断刃１０が1ピッチ分出てきて、切断刃１０の刃先を図９のようにナット１３の破断溝１４に差し込み破断することが出来る。又その状態のままでナット１３を取り付け穴３にセットすれば、ねじ１５でガイド部５に取り付けることが出来、切断刃１０を破断した後そのまま使用しても、テーパー部６の先端で指がカバーされ切断刃１０に指が触れないので安全に使用できる。又、ねじ１５の先端はナット１３で覆われているので安全に使用できる。
【００１７】
この安全カッターのベース部１と立設部２を一体にし、薄鋼板で図１０のようなベースの展開形状にし、連結部８を中心にして図２，３のように折り曲げ、スポット溶接９等で補強するようにすれば１部品に出来、更に部品点数も少なくなる。
【実施例２】
【００１８】
本発明は図１１、図１２，図１３に示すように、ベース部１から立設部２に含む構造は実施例１と全く同じであるが、図１５のＣ―Ｃ断面に示すように、立設部２を持つこのベース部１の裏面側に、固定材としての磁石１６を圧入、接着等で取り付け、これらに滑り止めマット１７を取り付けている。
【００１９】
これにより磁力でこの安全カッターを冷蔵庫などに取り付けることが出来、又滑り止めマット１７で容易にずれないので、縦にして冷蔵庫などに取り付け、牛乳が入っていた紙パックやキッチンペーパーの芯などをカットすることが出来、図１６で示すように横にして冷蔵庫などに取り付け、食品が入った幅の広いビニール袋１９やカウチパック、だし汁が入ったビニール袋などを、中身がこぼれないようスムーズにカットすることができる。又切れなくなった切断刃１０は実施例１と同様スムーズに交換でき、ベース部１と立設部２を一体にして薄鋼板で図１７のような展開図にすれば、実施例1と同様、最小の部品点数の安全カッターとなる。又ベース部１に磁石１６と滑り止めマット１７の代わりに、粘着マット、吸盤、ねじ、カシメ、接着剤などを取り付けて、冷蔵庫などに取り付け使用することも可能である。
【産業上の利用可能性】
【００２０】
小さくて、極めてシンプルで扱いやすい安全カッターなので、テーブルや机や色々な物の上に置く実施例１のタイプで、薬や栄養剤などが入った袋、ビニール紐、釣り糸、などを素早くカット出来、冷蔵庫などに取り付ける実施例２のタイプでは、中身が入った食品のビニール袋やカウチパック以外、色々な液体が入った袋などもこぼさずにカット出来、はさみやカッターなど道具の使い回しがないので、新型コロナウイルスの感染予防にもなり、家庭以外、病院、介護施設、飲食店、移動店舗などで様々な使い道が考えられる。
【符号の説明】
【００２１】
１べース部
２立設部
３取り付け穴
４ガイド孔
５ガイド部
６テーパー部
７スリット部
８連結部
９スポット溶接
１０切断刃
１１保持穴
１２切断刃折れ溝
１３ナット
１４破断溝
１５ねじ
１６磁石
１７滑り止めマット
１８栄養補助剤
１９食品が入ったビニール袋
【要約】      （修正有）【課題】テーブルや机などの上に置いて、又は、冷蔵庫の側面などに取り付けて中身が入ったビニール袋などをカットし、切れなくなった刃を折って使用又は外して交換できるようにした、コンパクトでシンプル且つ扱い易い安全カッターを提供する。【解決手段】テーブルの上に置ける平面、又は冷蔵庫の側面に取り付ける平面と、この面に垂直で二重で密着した面を持つ立設部２の二重の面の内側に、切断刃１０を長手方向にスライドさせ取り出せるようにし、上下方向から少し傾斜した筒状のガイド部５を設け、ガイド部５を横断するスリット部７を設け、ガイド部５に切断刃折れ溝のピッチに合わせ複数の取り付け穴とガイド孔４を設け、切断刃１０をねじと破断溝を持つナットで取り付け、ガイド部５の先端に指を保護し、切断刃１０を保持するテーパー部６を設けている。【選択図】図１【図１】
0006945046.tif 000002
【図２】
0006945046.tif 000003
【図３】
0006945046.tif 000004
【図４】
0006945046.tif 000005
【図５】
0006945046.tif 000006
【図６】
0006945046.tif 000007
【図７】
0006945046.tif 000008
【図８】
0006945046.tif 000009
【図９】
0006945046.tif 000010
【図１０】
0006945046.tif 000011
【図１１】
0006945046.tif 000012
【図１２】
0006945046.tif 000013
【図１３】
0006945046.tif 000014
【図１４】
0006945046.tif 000015
【図１５】
0006945046.tif 000016
【図１６】
0006945046.tif 000017
【図１７】
0006945046.tif 000018